(57)【要約】【課題】  構造が簡単で壁へ損傷も少なく、短時間で壁掛け作業が行えるとともに、設置の安定性のよい機器筐体の壁掛け構造を提供する。【解決手段】  この壁掛構造は、壁掛け装置１として機器筐体２の取付け孔Ａ８および取付け孔Ｂ１０に係合する略Ｌ字形状をなす引掛け部と、左右端部の近傍に弾性を有する弾性爪９と、この壁掛け装置１を壁３に固定する固定ピン４とからなっている。固定ピン４は、両端部が尖った外観が略コの字形状をなし、また、壁掛け装置１の壁面対向側には固定ピン４を収納する凹部が設けられ、固定ピン４は凹部に設けた回転支持部により固定ピン１０の中央近傍を回転軸として所定の角度で回転可能である。これにより、固定ピン４は壁取り付け面より突出し、壁掛け装置１を介して機器筐体２を壁面への取り付けることができる。【選択図】      図２
2005243920.tif 000002
【特許請求の範囲】
【請求項１】
機器の取付け箇所に係合する係合手段を設けた取付け部材と、前記取付け部材を壁面に固定する固定手段とを備えてなる機器の壁掛け設置構造において、前記取付け部材の前記係合手段は、略Ｌ字形状をなす引掛け部と、端部の左右近傍に弾性を有する２つの爪部とからなること特徴とする機器筐体の壁掛け構造。
【請求項２】
前記固定手段は、金属線材からなり、かつ両先端が尖った略コの字形をなす固定ピンからなることを特徴とする請求項１に記載の機器筐体の壁掛け構造。
【請求項３】
請求項２に記載の機器筐体の壁掛け構造において、前記取付け部材の壁面対向側に前記固定ピンを収納する凹部と、前記凹部の上部方向側に前記固定ピンの中央近傍を回転軸として回転する回転支持部とを備え、前記固定ピンが壁取り付け面より一定量突出可能としたことを特徴とする機器筐体の壁掛け構造。
【請求項４】
前記固定ピンの先端部の回転角度は、直角よりも小さいことを特徴とする請求項３に記載の機器筐体の壁掛け構造。
【請求項５】
請求項３または４に記載の機器筐体の壁掛け構造において、前記取付け部材の前記凹部に、前記固定ピンの収納時に前記固定ピンの先端近傍に当接して回転を制止する制止手段を備えることを特徴とする機器筐体の壁掛け構造。
【請求項６】
前記取付け部材の前記凹部に、前記固定ピンの回転を付勢する弾性部材を備えることを特徴とする請求項５に記載の機器筐体の壁掛け構造。
【請求項７】
請求項１から６のいずれか１項に記載の機器筐体の壁掛け構造において、前記壁掛け部材には壁面に固定する取り付け穴が併設されていることを特徴とする機器筐体の壁掛け構造。
【発明の詳細な説明】
【技術分野】
【０００１】
本発明は壁掛け構造に関し、特に、機器筐体の壁掛け構造に関する。
【背景技術】
【０００２】
従来の壁掛け構造について図１０を参照して説明する。従来、通信端末等の機器端末（以下、機器筐体と称する）を壁面に設置する場合は、機器筐体とそれを壁面に設置するための部材（以下、壁掛け装置と称する）とを一体化させ、ネジを用いて壁へ設置するものや、機器筐体をネジにて壁面へ直接固定するというものであった。
【０００３】
また、図１０に示すように、機器筐体２０や壁掛け装置の背面側に設けた略ダルマ形状をなすダルマ穴１７を複数設けるとともに、設置する壁３面へネジ１８を取り付け、そこへダルマ穴１７を引掛けてネジ締め固定することにより、壁３面へ設置していた。また、その他の事例としては、接着剤および粘着剤を用いて機器筐体や壁掛け装置を直接壁面へ接着固定していた。
【０００４】
さらに、壁掛け設置構造に関する公知例としては、機器筐体（電子機器）の取付け箇所に設置可能なブラケットを壁面にネジ止めして固定するとともに、ブラケットには所要数の爪とロックレバーとを設け、一方、機器筐体にはこの爪が係合可能なフックとロックレバーに係合可能な係合部を設けたものがある。これは機器筐体をブラケットに装着する場合には、フックを爪に係合させると、ロックレバーが係合部に係止して機器筐体はロックされ、また、機器筐体をブラケットから装脱する場合には、ロックレバーと係合部との係合を解き、さらにフックと係合部とを離脱させるというものである（例えば、特開平８−１１６１８２号公報を参照。）。
【０００５】
【特許文献１】特開平８−１１６１８２号公報
【発明の開示】
【発明が解決しようとする課題】
【０００６】
しかしながら、従来の機器筐体の壁掛け構造においては、図１０にて説明したように、ネジを用いて機器筐体を壁面に設置するため、壁へネジを埋め込むことになり、壁面への著しい損傷を与えるという欠点があった。また、接着剤および粘着剤にて壁面に設置する場合は、壁紙を剥がすなど上述同様に壁面への著しい損傷を与えるとともに、設置作業時間が多く費やす、設置の安定性が欠如するなどの欠点があった。
【０００７】
本発明の目的は、このような課題に鑑みてなされたものであって、先端が鋭利な形状を有する固定ピンを壁掛け装置に備え、かつ壁掛固定ピンを角度θ°回転動作させ、ある一定量壁掛け装置面より突出させた状態にて固定させ、この壁掛固定ピンを壁面に対し差し込むことにより、容易に壁面へ機器筐体を設置可能とすることを特徴とした、機器筐体の壁掛け構造を提供することにある。
【課題を解決するための手段】
【０００８】
本発明は、壁掛け装置に先端が鋭利な形状を有する固定ピンを備えている。使用する場合には、固定ピンを回転動作させて壁掛け装置面より突出した状態で固定ピンを壁面に対して差し込む。これにより、機器筐体は壁掛け装置を介して容易に壁面へ設置可能となる。また、壁掛固定ピンをある一定量の角度にて保持する構造を備えることにより、容易に壁掛固定ピンが抜けないことを特徴とする。
【発明の効果】
【０００９】
以上説明したように、本発明においては、以下に記載するような効果を奏する。まず、第１の効果は、壁掛け装置から突出する固定ピンにて壁へ設置することにより、特に専用工具を用いることなく容易に壁面へ設置可能であり、かつ設置場所の変更も容易である。また、取付けは固定ピンのφ径の穴明けのみで済み、壁への損傷を最小限に抑えることができる。
【００１０】
続いて、第２の効果は、壁掛け装置に固定ピンを収納可能な構造にしたことにより、商品としての出荷形態において、壁掛け装置から固定ピンの鋭利な部分の突出がなく安全性が高いことである。
【発明を実施するための最良の形態】
【００１１】
次に、本発明を実施するための最良の形態について図面を参照して詳細に説明する。図１は、本発明の実施形態である壁掛け固定する部品（以下、壁掛け装置１と称す）を示す図であって、図１（ａ）は表面から見た斜視図であり、同図（ｂ）はと裏面から見た斜視図である。
【００１２】
また、図２は、図１の壁掛け装置に通信端末等の機器筐体が設置される状態を示す分解斜視図である。図３は、図２の壁掛け装置および機器筐体を示す平面図であり、図４は、図３の壁掛設置する構成部品の結合および嵌合箇所示す断面図であって、図４（ａ）は、図３（ａ）のＸ−Ｘ断面であり、図４（ｂ）は、図３（ａ）のＹ−Ｙ断面である。
【００１３】
ここで、図１〜図４を参照して、本実施形態の機器筐体２を壁掛け装置１に固定する構成について説明する。まず、壁掛け装置１にはある一定幅ａのＬ字形状をしたＬ字形引掛け部７を備えており、機器筐体２の取り付け面（背面）であるＢ面のある任意箇所にはＬ字形引掛け部７と相対する位置関係を持つ幅ｂの取付け孔８Ａ（１箇所）を備えている。
【００１４】
また、壁掛け装置１の左右端部にはある一定幅ｃの弾性爪９を備え、機器筐体２には上述した弾性爪９と相対する位置関係にある一定幅ｄの取付け孔Ｂ１０（２箇所）を備える。
【００１５】
壁掛け装置１のＬ字形引掛け部７と機器筐体２の取付け孔８Ａとは、図４（ａ）の断面図に示すように引掛け固定が可能であり、かつ図４（ｂ）の断面図に示すように同時に弾性爪９と取付け孔１０Ｂとが引掛け固定できる構造を備える。次に壁掛け装置１と機器筐体２を設置する壁面３へ固定する、１実施例の構成について説明する。
【００１６】
壁掛け装置１は、壁側設置面であるＡ面からある一定量ｍが突出する固定ピン４を備えている。図５は、上述した固定ピン４の形状を示し、図６および図７は、壁掛け装置１と固定ピン４の固定構造を示す。固定ピン４は、φｅの金属線材からなる略コの字形状であって一定量ｆの凸段差形状を形成し、かつ固定ピン４の先端部５（２箇所）は鋭利な形状を有している。そして、壁掛け装置１はこの固定ピン４を固定可能とする形状を備えている。
【００１７】
図６は、壁掛け装置１に固定ピン４が収納されている状態を示す図である。壁掛け装置１には固定ピン４の外形が収納可能な凹部１４を有し、筐体リブ爪１１と筐体リブ１２にて固定ピン４のφｅの線状部分を挟み込み固定する構造を有する。
【００１８】
壁掛け装置１は、筐体リブ爪１１部に引掛けて固定されている固定ピン４の軸を中心として、固定ピン４が回転動作可能な凹量ｈを有しており、図７に示すように、固定ピン４はある一定角度θ°の回転動作が可能である。この場合、固定ピン４の角度θは、壁掛け装置１が壁面から脱落する危険性を避けるためには、固定ピン４に先端方向は壁面に対して垂直方向（θ＝９０°）よりも下方向、すなわち、鋭角の方が好ましく、安定した取り付け状態を考慮すると、θ＝４０°〜８０°程度が望ましい。
【００１９】
また、壁掛け装置１の凹部１４には、固定ピン４が回転動作する際に、固定ピン４の凸ｆ部の回転をガイドする筐体リブ１３を有しており、この筐体リブ１３は、固定ピン４が回転動作した時に回転ストッパとなる。
【００２０】
上述した固定ピン４は、図２に示すように、壁掛け装置１の左右２箇所に備えており、壁掛け装置１のＡ面からは４本の固定ピン４がある一定量ｍが突出することとなる。また、壁掛け装置１の固定ピン４の収納する凹部１４の左右には、収納されている固定ピン４の先端部分を指先等にて持ち上げることが可能な凹形状を備えている。
【００２１】
次に、本発明の実施形態の動作について図面を参照して説明する。図１〜図４を参照すると、まず、壁掛け装置１のある一定幅ａのＬ字形状をした引掛け部７と、機器筐体２の壁設置面（Ｂ面）に有する幅ｂの取付け孔Ａ８とが嵌合して固定され、かつ同時に壁掛け装置１の左右端部にある一定幅ｃの弾性爪９が、機器筐体２のある一定幅ｄの取付け孔１０Ｂへ引掛けられることにより、壁掛け装置１は機器筐体２を確実に保持し固定する。
【００２２】
次に、図６および図７を参照すると、壁掛け装置１の固定ピン４は、左右に設けた凹部１４に収納されるようになっている。ここで、固定ピン４を突出させる場合には、凹部１４より固定ピン４の先端部分を持ち上げ、壁掛け装置１に固定ピン４が収納されている状態から固定ピン４をリブ爪１１部に引掛ける。そして、固定されている固定ピン４の軸を回転軸の中心として、リブ１３の形状に沿って所定の角度θ°を回転させ、リブ１３の先端形状にて固定ピン４をロックし固定させる。
【００２３】
これにより、壁掛け装置１と機器筐体２とが一体となり、壁掛け装置１のＡ面からは４本の固定ピン４をある一定量ｍを突出させ、この４本の固定ピン４を壁３へ差し込むことにより壁面への設置が完了する。
【００２４】
本実施形態は、図７に示すように、壁面に対して固定ピンのある一定角度θ°を有することにより、壁３面に対し、図中、矢印Ｘ方向に対しては容易に抜けないようになる。
【００２５】
続いて、本発明の他の実施形態について説明する。このその基本的な構成は上述したとおりであるが、固定ピンの実装構造については、さらに工夫している。図８は、本発明の他の実施形態を示す図である。図８を参照すると、固定ピン４の実装部には、ばね形状等による弾性構造１５および仮固定爪ボタン１６を追加し、仮固定爪ボタン１６にてワンタッチにて固定ピン４の引掛けを解除し、固定ピン４が壁掛け装置１のＡ面より持ち上げられる。
【００２６】
壁掛け装置１の固定ピン４を収納する凹部には、図８に示すように、弾性特性を有する形状（弾性部材１５）を備え、かつ固定ピン４の仮固定爪ボタン１６を備えている。この仮固定爪ボタン１６は、ボタン部を矢印Ａ方向に押すことにより、回転軸ｊにて仮固定爪ボタン１６が回転し、固定ピン４の引掛け量ｋの引掛け解除を可能とする。
【００２７】
固定ピン４は、上述した弾性部材１５の付勢力を常時受ける位置関係にあり、上述した仮固定爪ボタン１６の押下により、容易に固定ピン４は壁掛け装置１のＡ面より突出可能となる。
【００２８】
さらに、その他の実施形態として、壁掛け設置時に従来のネジ固定による取り付け方法も可能なように、ダルマ穴１７形状も付加した壁掛け装置１ａを図９に示す。その基本的な構成は上述したとおりであるが、これは固定ピン４の差込み固定ができない壁３面へ設置する場合に有効で、通常のネジによる壁への設置が可能である。すなわち、取り付ける壁の材質の種類によって、壁掛け設置時の固定方法を選択することができる。
【産業上の利用可能性】
【００２９】
本発明の壁掛け構造は、壁への損傷を最小限に抑えて容易に壁へ設置可能であり、容易に設置場所の変更が可能であり、特に室内の装飾等にも幅広く採用できる。
【図面の簡単な説明】
【００３０】
【図１】本発明の実施形態である壁掛け装置を示す斜視図である。
【図２】図１の壁掛け装置に機器筐体が設置される状態を示す分解斜視図である。
【図３】図２の壁掛け装置および機器筐体を示す平面図である。
【図４】図３の壁掛け装置および機器筐体を示す断面図である。
【図５】図１の固定ピンの形状を示す図である。
【図６】図１の固定ピンの実装構造を示す図である。
【図７】図１の固定ピンの実装構造を示す図である。
【図８】本発明のその他の実施形態である固定ピンの実装構造を示す図である。
【図９】本発明のその他の実施形態である壁掛け装置の構造を示す図である。
【図１０】従来の機器筐体の壁掛構造の一実施例を示す斜視図である。
【符号の説明】
【００３１】
１，１ａ    壁掛け装置
２，２０    機器筐体
３    壁
４    固定ピン
５    先端部
７    Ｌ字形引掛け部
８    取付け孔Ａ
９    弾性爪
１０    取付け孔Ｂ
１１    筐体リブ爪
１２    筐体リブ
１３    リブ
１４    凹部
１５    弾性部材
１６    仮固定爪ボタン
１７    ダルマ穴
１８    ネジ
【図１】
2005243920.tif 000003
【図２】
2005243920.tif 000004
【図３】
2005243920.tif 000005
【図４】
2005243920.tif 000006
【図５】
2005243920.tif 000007
【図６】
2005243920.tif 000008
【図７】
2005243920.tif 000009
【図８】
2005243920.tif 000010
【図９】
2005243920.tif 000011
【図１０】
2005243920.tif 000012